(57)【要約】【課題】使用時においては、専用の動力を必要とせずに効率的に汚物の濾過が可能であると共に、製造コスト及び維持コストが低く、簡易な構造を有し、更に故障が発生し難い濾過装置を提供する。【解決手段】水槽内に酸素を供給するエア発生装置の上方に配置され、スポンジ部材で形成されたフィルター部材と、上記フィルター部材を水槽中の所定位置に固定しうる固定部材とを有し、上記エア発生装置から生じる気泡によって発生する水流の流力によって上記フィルター部材の内部に水を透過させて汚物を濾過する構成とする。【選択図】  図１
0003148729.tif 000002
【実用新案登録請求の範囲】
【請求項１】
水生生物を飼育する水槽内において水中の汚物を除去する濾過装置であって、
水槽内に酸素を供給するエア発生装置の上方に配置され、
スポンジ部材で形成されたフィルター部材と、
上記フィルター部材を水槽中の所定位置に固定しうる固定部材とを有し、
上記エア発生装置から生じる気泡によって発生する水流の流力によって上記フィルター部材の内部に水を透過させて汚物を濾過することを特徴とする濾過装置。
【請求項２】
網目を有する布によって形成され、上記フィルター部材を被覆する第二のフィルター部材を備え、
上記固定部材は、上記水槽の側面上端部に係止しうるフック部と、上記フック部に固定され上記第二のフィルター部材が固定されるフレーム部とを有し、水中において上記フィルター部材は上記第二のフィルター部材によって上記フレーム部との間に保持されることを特徴とする請求項１記載の濾過装置
【請求項３】
上記第二のフィルター部材は開口部を有する袋状に形成され、
上記開口部には、上記開口部の周縁部に沿って略長方形のフレーム部が取り付けられると共に、
上記フィルター部材は、所定の厚さ寸法を有する略長方形板状に形成され、上記フィルター部材は、上記第二のフィルター部材の内方おいて、上記第二のフィルター部材の開口部を被覆するように取り付けられていることを特徴とする請求項２記載の濾過装置。
【請求項４】
上記固定部材は下面部に開口部を有する箱体として形成されると共に、上記水流の流出用窓部が設けられ、
上記フィルター部材は、上記固定部材の内部に配設され、上記エア発生装置から生じる気泡によって発生する水流は上記開口部から取り込まれると共に、上記フィルター部材を透過して、上記流出窓部から排出されることを特徴とする請求項１記載の濾過装置。
【請求項５】
上記固定部材の開口部には下方に突出する管部が延設され、上記エア発生装置から生じる気泡によって発生する水流は、上記管部内を経由し上記固定部材開口部から流入することを特徴とする請求項４記載の濾過装置。
【請求項６】
上記フィルター部材には、水槽内に配置した場合において、上記エア発生装置から生じる気泡によって発生する水流の方向に沿って、少なくとも一つ以上の貫通孔が設けられていることを特徴とする請求項３または４いずれか１項記載の濾過装置。
【考案の詳細な説明】
【技術分野】
【０００１】
本考案は水生生物の飼育用の水槽内に取り付けられ、水中の汚物を除去する濾過装置に関する。
【背景技術】
【０００２】
観賞用の生魚等の水生生物を水槽内で飼育する場合、水槽内の水質は、糞、食べ残しの餌等が浮遊することによって時間経過と共に次第に汚染され、飼育環境の悪化の要因となるため、水槽内の水を継続的に濾過し続ける必要がある。
【０００３】
従来の一般的な濾過装置の例を図４に示す。
図４に示すように、従来の濾過装置７０は、水槽７１の蓋部７２の内部に組み込まれ、水槽７１の内部の水を汲み上げる為のモータを有するポンプ部７３と、上記ポンプ部７３に接続され、水槽７１の内部の水を吸い込む吸入口７４と、上記吸入口７４から汲み上げられた水をフィルター部７５に送出する送出口７６と、上記フィルター部７５によって濾過された水を水槽内に戻す排出口７７とから形成されている。
上記フィルター部７５は、所定の厚さ寸法を有するスポンジ部材から形成れ、必要に応じて、厚さ及び重ね合わせ枚数が調整される。
上記水槽７１中の水に浮遊している、糞や食べ残しの餌等の汚物の粒子は、吸入口７４から吸い込まれ、上記送出口７６から上記スポンジ部材のフィルター部７５の上部に流され、上記フィルター部７５の細孔内を流れる過程においてフィルター部７５の繊維に捕らえられて濾過される。
汚物が除去された水は、上記フィルター部７５の下部から流れ落ち、排出口７７を介して再び水槽７１中に戻されるため、水槽７１中の水は常に清浄な状態に保たれる。
【０００４】
しかしながら、従来の上記濾過装置７０は、構成部品点数が多く、製造コストが大きいという不具合を有していた。
また、水質を保つためには、常にポンプ部７３を稼動させ続けておく必要があることから、常時電源の確保が必要であると共に、電気代等の維持コストが非常に大きく、また電気部品を使用していることから、故障が発生し易いという別途の不具合をも有していた。
更に上記吸入口７４から離れた位置に浮遊する汚物が十分に濾過されないという不具合をも有していた。
【考案の開示】
【考案が解決しようとする課題】
【０００５】
本考案の解決課題は、使用時においては、専用の動力を必要とせずに効率的に汚物の濾過が可能であると共に、製造コスト及び維持コストが低く、簡易な構造を有し、更に故障が発生し難い濾過装置を提供することにある。
【０００６】
上記課題を解決するために、請求項１に記載した濾過装置は、水槽内に酸素を供給するエア発生装置の上方に配置され、スポンジ部材で形成されたフィルター部材と、上記フィルター部材を水槽中の所定位置に固定しうる固定部材とを有し、上記エア発生装置から生じる気泡によって発生する水流の流力によって上記フィルター部材の内部に水を透過させて汚物を濾過することを特徴とする。
【０００７】
従って、別途電動のポンプ等を設ける必要が無く、水槽内の既存設備であるエア発生装置の気泡によって生じる水流の流力によって、水槽内の水がフィルター部材を透過して濾過が行われる。
【０００８】
また、請求項２に記載した濾過装置は、網目を有する布によって形成され、上記フィルター部材を被覆する第二のフィルター部材を備え、上記固定部材は、上記水槽の側面上端部に係止しうるフック部と、上記フック部に固定され上記第二のフィルター部材が固定されるフレーム部とを有し、水中において上記フィルター部材は上記第二のフィルター部材によって上記フレーム部との間に保持されることを特徴とする。
【０００９】
従って、上記フック部を水槽の側面の上端部に係止することによって、上記フィルター部材及び第二のフィルター部材が水槽内の所定位置に配置される。
【００１０】
また、請求項３記載した濾過装置は上記第二のフィルター部材は開口部を有する袋状に形成され、上記開口部には、上記開口部の周縁部に沿って略長方形のフレーム部が取り付けられると共に、上記フィルター部材は、所定の厚さ寸法を有する略長方形板状に形成され、上記フィルター部材は、上記第二のフィルター部材の内方おいて、上記第二のフィルター部材の開口部を被覆するように取り付けられていることを特徴とする。
【００１１】
従って、上記フィルター部材を透過した水は、上記第二のフィルター部材の内部を回流するため、上記フィルター部材によって繰り返し濾過される。
【００１２】
また、請求項４に記載の濾過装置は、上記固定部材は下面部に開口部を有する箱体として形成されると共に、上記水流の流出用窓部が設けられ、上記フィルター部材は、上記固定部材の内部に配設され、上記エア発生装置から生じる気泡によって発生する水流は上記開口部から取り込まれると共に、上記フィルター部材を透過して、上記流出窓部から排出されることを特徴とする。
【００１３】
従って、水槽内の水は上記開口部から流入し、上記フィルター部材を透過した後、上記固定部材の内部から上記流出窓部から排出される。
【００１４】
また、請求項５記載の濾過装置は、上記固定部材の開口部には下方に突出する管部が延設され、上記エア発生装置から生じる気泡によって発生する水流は、上記管部内を経由し上記固定部材開口部から流入することを特徴とする。
【００１５】
従って、上記エア発生装置から生じる気泡によって発生する水流が、上記管路内を流通するため水流の流力が衰え難い。
【００１６】
また、請求項６記載の濾過装置は、上記フィルター部材には、水槽内に配置した場合において、上記エア発生装置から生じる気泡によって発生する水流の方向に沿って、少なくとも一つ以上の貫通孔が設けられていることを特徴とする。
【００１７】
従って、上記エア発生装置から生じる気泡によって発生する水流が上記貫通孔に適宜流入することによって、上記フィルター部材が受ける水圧が一定に保たれるため、上記フィルター部材の浮き上がりが防止される。
【考案の効果】
【００１８】
請求項１に記載した発明にあっては、水槽内に酸素を供給するエア発生装置の上方に配置され、スポンジ部材で形成されたフィルター部材と、上記フィルター部材を水槽中の所定位置に固定しうる固定部材とを有し、上記エア発生装置から生じる気泡によって発生する水流の流力によって上記フィルター部材の内部に水を透過させて汚物を濾過することから、使用時においては、専用の動力を必要とせずに効率的に汚物の濾過が可能であると共に、製造コスト及び維持コストが低く、簡易な構造を有し、更に故障が発生し難い濾過装置を提供することが可能となる。
【００１９】
また、請求項２に記載した発明にあっては、網目を有する布によって形成され、上記フィルター部材を被覆する第二のフィルター部材を備え、上記固定部材は、上記水槽の側面上端部に係止しうるフック部と、上記フック部に固定され上記第二のフィルター部材が固定されるフレーム部とを有し、水中において上記フィルター部材は上記第二のフィルター部材によって上記フレーム部との間に保持される。
また、請求項３記載した発明にあっては、上記第二のフィルター部材は開口部を有する袋状に形成され、上記開口部には、上記開口部の周縁部に沿って略長方形のフレーム部が取り付けられると共に、上記フィルター部材は、所定の厚さ寸法を有する略長方形板状に形成され、上記フィルター部材は、上記第二のフィルター部材の内方おいて、上記第二のフィルター部材の開口部を被覆するように取り付けられていることから、請求項１の効果に加え、上記フィルター部材によって濾過された水が、上記第二のフィルター部材内を回流することにより、上記フィルター部材によって繰り返し濾過されるため、より効率よく汚物を濾過することが可能となる。
【００２０】
また、請求項４に記載の発明にあっては、上記固定部材は下面部に開口部を有する箱体として形成されると共に、上記水流の流出用窓部が設けられ、上記フィルター部材は、上記固定部材の内部に配設され、上記エア発生装置から生じる気泡によって発生する水流は上記開口部から取り込まれると共に、上記フィルター部材を透過して、上記流出窓部から排出されることから、請求項２及び３記載の発明と比して、より簡易な構造を有し、製造コストを更に低くすることが可能である。
更に、請求項５記載の発明にあっては、上記固定部材の開口部には下方に突出する管部が延設され、上記エア発生装置から生じる気泡によって発生する水流は、上記管部内を経由し上記固定部材開口部から流入することから、上記エア発生装置から生じる気泡によって発生する水流の流力が減衰しにくく、より効率的に濾過を行うことが可能となる。
【００２１】
また、請求項６記載の発明にあっては、上記フィルター部材には、水槽内に配置した場合において、上記エア発生装置から生じる気泡によって発生する水流の方向に沿って、少なくとも一つ以上の貫通孔が設けられていることから、上記フィルター部材の浮き上がりが防止され、より効率的に濾過を行うことが可能となる。
【考案を実施するための最良の形態】
【００２２】
以下、図面を用いて、フィルター部材が第二のフィルター部材で被覆された構成を例として本発明の実施の形態について説明する。
図１に示すように、本実施例に係る濾過装置１０は、水生生物を飼育する水槽１１内において、水槽１１内に設置され、水中に酸素を供給するエア発生装置１２の上方に配置され、スポンジ部材で形成されたフィルター部材１３と、上記フィルター部材１３を水槽１１中の所定位置に固定しうる固定部材１４とを有している。
また、上記フィルター部材１３は、網目を有する布によって形成された第二のフィルター部材１５によって被覆されている。
また、上記固定部材１４は、上記水槽１１の側面上端部１６に係止しうるフック部１７と、上記フック部１７に固定され上記第二のフィルター部材１５が固定されるフレーム部１８とを有し、水中において上記フィルター部材１３は上記第二のフィルター部材１５によって上記フレーム部１８との間に保持されている。
また、上記第二のフィルター部材１５は開口部１９を有する袋状に形成され、
上記フレーム部１８は、略長方形に形成され、上記開口部１９の周縁部に沿って取り付けられている。
また、上記フィルター部材１３は、所定の厚さ寸法を有する略長方形板状に形成され、上記フィルター部材１３は、上記第二のフィルター部材１５の内方おいて、上記第二のフィルター部材１５の開口部１９を被覆するように取り付けられている。
また、上記フィルター部材１３には、水槽内に配置した場合において、上記エア発生装置１２から生じる気泡によって発生する水流の方向に沿って、一対の貫通孔２０、２０が設けられている。
【実施例１】
【００２３】
上記構成における実施例について以下詳述する。
図２は、本実施例における濾過装置１０の全体斜視図である。
図２に示すように、本実施例に係る濾過装置１０の第二のフィルター部材１５は、１ｍｍ程度の網目を有する柔軟な布によって袋状に形成され、開口部１９には、長方形状に形成された金属性のフレーム部１８が固定されている。
フィルター部材１３は、上記フレーム部１８と略同一の長さ寸法及び幅寸法有すると共に所定の厚さ寸法を有する板状に形成され、上記第二のフィルター部材１５の内方において、上記フレーム部１８に当接し、上記開口部１９を上記第二のフィルター部材１５の内方から閉止するように配置されている。
また、上記フィルター部材１３には、厚さ方向に貫通する貫通孔２０、２０が長さ方向に沿って２箇所設けられている。
また、上記フック部１７は、針金から形成され、上記フレーム部１８を載置する台部１７ａと、上記台部１７ａに延設され、側面逆Ｕ字形状のフック本体部１７ｂとを備えている。
【００２４】
上記構成における実施例の作用について説明する。
図１は、本実施例に係る濾過装置１０を、水槽１１内に取り付けた状態を示す側面図である。
図１に示すように、本実施例に係る濾過装置１０は、上記第二のフィルター部材１５の開口部１９を下方に向け、上記フィルター部材１３の面部と、上記水槽１１の底面２１とが略平行となるように配置され、上記フック本体部１７ｂを、上記水槽１１の側面上端部に掛止することによって取り付けられる。
上記水槽１１の底面２１には、水中に酸素を供給するエア発生装置１２が配置されている。
上記エア発生装置１２は、エアを送るための管部１２ａと、上記管部１２ａの先端部取り付けられ、セラミック若しくは軽石等の多数の微細孔部を有する部材から形成されたエア発生部１２ｂとから形成されている。
上記エア発生部１２ｂから発生した気泡が、水中を水面方向に上昇する過程において、水中には図１中の矢印Ａに示す方向の水流が発生する。
上記水流が上記開口部１９に配置されている上記フィルター部材１３に当たることで、上記フィルター部材１３内を水が透過される。
また、上記貫通孔２０、２０に所定量の水が流れ込むことによって、上記フィルター部材１３が受ける水圧が所定圧以上となることを防止し、上記フィルター部材１３が浮き上がることを防止する。
また、上記貫通孔２０、２０を介して、上記第二のフィルター部材１５の内部に進入した水は、図１中矢印Ｂに示すように、上記第二のフィルター部材１５の内部を回流し、大きな粒子の汚物は上記第二のフィルター部材１５の網目で濾過されると共に、上記フィルター部材１３においても繰り返し濾過され、効率的に汚物が濾過される。
【００２５】
本実施例の形態によれば、上記エア発生装置１２の気泡によって生じる水流の流力によって濾過が行われることから、専用の動力を必要とせずに効率的に汚物の濾過が可能である。
また、非常に簡易な構造であるため、製造コストが低く、既存設備以外の新規の維持コストも発生しない。
更に電子部品等の複雑な機器を用いていないため故障が発生し難いという様々な効果を呈する濾過装置を提供することができる。
【実施例２】
【００２６】
また、図３に示すように、固定部材１４を下面部２２に開口部２３及び、水流の流出用窓部２４とを有する箱体として形成し、上記フィルター部材１３を上記固定部材１４の内部に配設した形態に構成することも可能である。
図３に示すように、本実施の形態に係る濾過装置１０の固定部材１４は、箱体の下面部２２に所定寸法の開口部２３を有する共に、上記固定部材１４の一対の側面部２５、２５には、所定寸法の流出用窓部２４、２４が設けられている。
上記フィルター部材１３は、上記固定部材１４の内方において、上記開口部２３、及び上記流出用窓部２４、２４を閉止するように正面略Ｕ字形状に折り曲げられて配置されている。
また、上記フィルター部材１３には、上記開口部２３を被覆する位置に、厚さ方向に貫通する貫通孔２６が設けられている。
エア発生装置（図３には図示せず）から発生する水流は、図３中の矢印Ｃに沿って、上記固定部材１４内に進入し、上記フィルター部材１３を透過した後、図３中の矢印Ｄに沿って、上記流出用窓部２４、２４から水中に排出される。
本実施例に拠れば、上記実施例１に示す第二のフィルター部材１５は不要であり、より構造が簡易な濾過装置を提供することが可能である。
【実施例３】
【００２７】
また、図４に示すように、上記開口部２３を上記固定部材１４の下面部２２に設け、上記流出用窓部２４、２４を上記固定部材１４の下面部２２及び側面部２５に設けることも可能である。
図４に示すように、エア発生装置１２（図４には図示せず）から発生した水流は、図４中矢印Ｃに沿って上記開口部２３から上記固定部材１４の内部に進入し、上記フィルター部材１３を透過した後に、図４中矢印Ｄに沿って上記流出用窓部２４、２４から水中に排出される。
本実施例にあっても、実施例２と同様、実施例１よりも簡易な構造の濾過装置を提供することが可能である。
【実施例４】
【００２８】
また、図５に示すように、固定部材１４の開口部２３に下方に突出する管部２７を延設して設けた構成とすることも可能である。
図５に示すように、本実施例の形態においては、上記管部２７の下端部を上記エア発生装置１２（図５には図示せず）のエア発生部１２ｂ（図５には図示せず）の上方近傍に配置する。
図５に示すように、エア発生装置１２（図５には図示せず）から発生した水流は、上記管部２７内を流通し、図５中矢印Ｃに沿って上記開口部２３から上記固定部材１４の内部に進入し、上記フィルター部材１３を透過した後に、図５中矢印Ｄに沿って上記流出用窓部２４、２４から水中に排出される。
本実施例に形態に寄れば、上記エア発生装置から発生する水流が上記管部２７内を流れるため水勢が減衰されず、より効率的に濾過することが可能である。
【産業上の利用可能性】
【００２９】
本考案は、水生生物の飼育用の水槽内に取り付けられ、水中の汚物を除去する濾過装置に広く適用することが可能である。
【図面の簡単な説明】
【００３０】
【図１】本考案の一実施の形態を示し、実施例１の形態における、濾過装置の設置状態を示す側面図である。
【図２】本考案の一実施の形態を示し、実施例１の形態における濾過装置の全体斜視図である。
【図３】本考案の他の実施の形態を示し、実施例２の形態における濾過装置の全体斜視図である。
【図４】本考案の他の実施の形態を示し、実施例３の形態における濾過装置の全体斜視図である。
【図５】本考案の他の実施の形態を示し、実施例４の形態における濾過装置の全体斜視図である。
【図６】従来の濾過装置の設置状態を示す側面図である。
【符号の説明】
【００３１】
１０  濾過装置
１１  水槽
１２  エア発生装置
１２ａ管部
１２ｂエア発生本体部
１３  フィルター部材
１４  固定部材
１５  第二のフィルター部材
１６  水槽の側面上端部  
１７  フック部
１７ａ台部
１７ｂフック本体部
１８  フレーム部
１９  開口部
２０  貫通孔
２１  水槽底面
２２  固定部材の下面
２３  開口部
２４  流出用窓部
２５  固定部材の側面部
２６  貫通孔
２７  管部
７０  濾過装置
７１  水槽
７２  蓋部
７３  ポンプ部
７４  吸入口
７５  フィルター部
７６  送出口
７７  排出口
Ａ  エア発生装置によって発生する水流
Ｂ  第二のフィルター部材内部の回流
Ｃ  水の流入経路
Ｄ  水の流出経路
【図１】
0003148729.tif 000003
【図２】
0003148729.tif 000004
【図３】
0003148729.tif 000005
【図４】
0003148729.tif 000006
【図５】
0003148729.tif 000007
【図６】
0003148729.tif 000008